(57)【要約】【課題】商圏情報を考慮した店舗毎のターゲット顧客に最適な広告媒体を効率的に生成する技術を実現する。【解決手段】商品情報データベースから商品毎のターゲット属性を読み出して、店舗情報データベースから店舗毎の商圏におけるターゲット属性を読み出して、前記商品のターゲット属性と前記店舗のターゲット属性との近似度が高いときに、当該商品の当該店舗における広告媒体上の商品情報の占有面積比率を大きくするようにレイアウトする。【選択図】図１
2005309475.tif 000002
【特許請求の範囲】
【請求項１】
情報処理装置を用いて、所定の複数の商品情報を視覚的な広告媒体上に配置して店舗毎の広告媒体を生成する広告媒体のレイアウト方法であって、
商品情報データベースから商品毎のターゲット属性を読み出すステップと、
店舗情報データベースから店舗毎の商圏におけるターゲット属性を読み出すステップと、
前記商品のターゲット属性と前記店舗のターゲット属性との近似度が高いときに、当該商品の当該店舗における広告媒体上の商品情報の占有面積比率を大きくする情報処理装置を用いた広告媒体のレイアウト方法。
【請求項２】
前記商品毎のターゲット属性は、男性又は女性向けの商品であるか否かを識別するものであることを特徴とする請求項１記載の広告媒体のレイアウト方法。
【請求項３】
前記商品又は店舗毎の商圏におけるターゲット属性は、当該商圏における商品購入者の年代構成を識別するものであることを特徴とする請求項１又は２記載の広告媒体のレイアウト方法。
【請求項４】
所定の複数の商品情報を視覚的な広告媒体上に配置して店舗毎の広告媒体を生成する広告媒体のレイアウト装置であって、
商品ＩＤと当該商品のターゲット属性とを登録した商品情報データベースと、
店舗ＩＤと当該店舗の商圏におけるターゲット属性を登録した店舗情報データベースと、
前記商品情報データベースから商品のターゲット属性を読み込み、前記店舗情報データベースから店舗の商圏におけるターゲット属性を読み込み、これらのターゲット属性の近似度が高いときに、当該商品の当該店舗における広告媒体上の商品情報の占有面積比率を大きく配置する広告媒体のレイアウト装置。
【請求項５】
セールＩＤを登録したセール基本情報データベースと、
セール日程情報を登録したセール実施情報データベースと、
セールを実施する店舗の情報を登録したセール実施店舗情報データベースと、
商品ＩＤと商品情報と、当該商品のターゲット属性とを登録した商品情報データベースと、
店舗ＩＤと当該店舗の商圏におけるターゲット属性を登録した店舗情報データベースと、
少なくとも、商品情報データベースから読み出した商品情報毎に、前記セールＩＤと、セール日程情報と、セール実施店舗情報とを表示手段上の同一画面に表示し、各情報の追加、変更、削除を許可するセール情報分析用インターフェース手段と、
前記セール情報分析用インターフェース手段から出力された分析データと、前記店舗情報データベースから店舗の商圏におけるターゲット属性とを読み込んで前記分析データ中の商品のターゲット属性とを比較して、これらのターゲット属性の近似度が高いときに、当該商品の当該店舗における広告媒体上の商品情報の占有面積比率を大きく配置するレイアウト生成手段とからなる広告媒体のレイアウト装置。
【請求項６】
情報処理装置を用いて、所定の複数の商品情報を視覚的な広告媒体上に配置して店舗毎の広告媒体を生成する広告媒体のレイアウトプログラムであって、
商品情報データベースから商品毎のターゲット属性を読み出すステップと、
店舗情報データベースから店舗毎の商圏におけるターゲット属性を読み出すステップと、
前記商品のターゲット属性と前記店舗のターゲット属性との近似度が高いときに、当該
商品の当該店舗における広告媒体上の商品情報の占有面積比率を大きくするコンピュータ実行可能な広告媒体のレイアウトプログラム。
【請求項７】
情報処理装置を用いて、所定の複数の商品情報を視覚的な広告媒体上に配置して店舗毎の広告媒体を生成する広告媒体のレイアウトプログラムを格納した記録媒体であって、
商品情報データベースから商品毎のターゲット属性を読み出すステップと、
店舗情報データベースから店舗毎の商圏におけるターゲット属性を読み出すステップと、
前記商品のターゲット属性と前記店舗のターゲット属性との近似度が高いときに、当該商品の当該店舗における広告媒体上の商品情報の占有面積比率を大きくするステップとからなるプログラムを記録したコンピュータ読取り可能な記録媒体。
【発明の詳細な説明】
【技術分野】
【０００１】
本発明は広告媒体、たとえば新聞の折込広告や、街頭のディスプレイ装置（ＤＳＰ）に表示される広告、電車内の吊下広告等の生成システムに関する。
【背景技術】
【０００２】
この種の分野において、たとえば、特開２００４−６２７１２（特許文献１）では、広告資料（広告チラシ等の広告媒体）の配布目的・配布先を考慮してより高い広告効果の得られる広告資料を提供するために、広告資料のレイアウトデータをレイアウト保管部に保管し、広告データを広告データ保管部に保管しておき、レイアウト作成部において、広告資料の作成依頼を行う作成依頼者からの要求に応じて、レイアウトと広告データを組み合わせることにより、効率的に広告資料を作成し、作成依頼者に提供するアイデアが提示されている。
【特許文献１】特開２００４−６２７１２号公報
【発明の開示】
【発明が解決しようとする課題】
【０００３】
しかしながら、前記特許文献１は、単にオペレータの行う広告作成を支援するものに過ぎず、どのような技術的な要因に基づいて広告チラシ面を生成するのかが明らかではない。
【０００４】
具体的には、この種の広告媒体、たとえば日刊新聞とともに同配される広告チラシ（いわゆる折込チラシ）を例にすると、チェーン展開された複数のスーパーマーケットの場合、チラシ面に掲載する数点の商品群が同じものであったとしても、店舗毎の商圏は異なっているため、それぞれの商圏に適合したチラシ面をレイアウトする必要があった。
【０００５】
たとえば、３０代の夫婦を中心とした家族構成が多いファミリー型の顧客層の多い地域を商圏とする店舗と、独身者の居住するマンションの多い地域の店舗とでは、重点的に広告すべき商品が異なるため、チラシ面のレイアウトも変更する必要があった。
【０００６】
にもかかわらず、前記特許文献１を始めとする従来技術では、このようなレイアウトの変更はもっぱらオペレータの手作業に依存するしかなかった。
【０００７】
本発明 は、斯かる実情に鑑み、商圏情報を考慮した店舗毎のターゲット顧客に最適な
広告媒体を効率的に生成する技術を提供しようとするものである。
【課題を解決するための手段】
【０００８】
本発明は広告媒体生成システムにかかるものである。
【０００９】
本発明の請求項１は、「情報処理装置を用いて、所定の複数の商品情報を視覚的な広告媒体上に配置して店舗毎の広告媒体を生成する広告媒体のレイアウト方法であって、
商品情報データベースから商品毎のターゲット属性を読み出すステップと、
店舗情報データベースから店舗毎の商圏におけるターゲット属性を読み出すステップと、
前記商品のターゲット属性と前記店舗のターゲット属性との近似度が高いときに、当該商品の当該店舗における広告媒体上の商品情報の占有面積比率を大きくする情報処理装置を用いた広告媒体のレイアウト方法」である。
【００１０】
請求項１に記載された構成によれば、チェーン展開されているスーパーマーケットの各店舗毎のターゲット属性に適合させたレイアウト構成の広告媒体（広告チラシ）を配布することが可能となる。
【００１１】
本発明の請求項２は、前記請求項１において、「前記商品毎のターゲット属性を、男性又は女性向けの商品であるか否かを識別するもの」としたものである。
【００１２】
また、請求項３は、前記請求項１又は２において、「前記商品又は店舗毎の商圏におけるターゲット属性を、当該商圏における商品購入者の年代構成を識別するもの」としたものである。
【００１３】
このように商品や商圏のターゲット属性をマーケティング情報として具体化することで、広告媒体を用いてより効率的な広告効果が期待できる。
【００１４】
請求項４は、「所定の複数の商品情報を視覚的な広告媒体上に配置して店舗毎の広告媒体を生成する広告媒体のレイアウト装置であって、
商品ＩＤと当該商品のターゲット属性とを登録した商品情報データベースと、
店舗ＩＤと当該店舗の商圏におけるターゲット属性を登録した店舗情報データベースと、
前記商品情報データベースから商品のターゲット属性を読み込み、前記店舗情報データベースから店舗の商圏におけるターゲット属性を読み込み、これらのターゲット属性の近似度が高いときに、当該商品の当該店舗における広告媒体上の商品情報の占有面積比率を大きく配置する広告媒体のレイアウト装置」である。
【００１５】
このようなレイアウト装置は、汎用コンピュータ、オフィスコンピュータ、パーソナルコンピュータ等で実現することができるが、これらの情報処理装置を含む専用装置として実現してもよい。
【００１６】
請求項５は、「セールＩＤを登録したセール基本情報データベースと、
セール日程情報を登録したセール実施情報データベースと、
セールを実施する店舗の情報を登録したセール実施店舗情報データベースと、
商品ＩＤと商品情報と、当該商品のターゲット属性とを登録した商品情報データベースと、
店舗ＩＤと当該店舗の商圏におけるターゲット属性を登録した店舗情報データベースと、
少なくとも、商品情報データベースから読み出した商品情報毎に、前記セールＩＤと、セール日程情報と、セール実施店舗情報とを表示手段上の同一画面に表示し、各情報の追加、変更、削除を許可するセール情報分析用インターフェース手段と、
前記セール情報分析用インターフェース手段から出力された分析データと、前記店舗情報データベースから店舗の商圏におけるターゲット属性とを読み込んで前記分析データ中の商品のターゲット属性とを比較して、これらのターゲット属性の近似度が高いときに、当該商品の当該店舗における広告媒体上の商品情報の占有面積比率を大きく配置するレイアウト生成手段とからなる広告媒体のレイアウト装置」である。
【００１７】
このようなレイアウト装置では、セール情報分析用インターフェース手段によって、ディスプレイ装置（ＤＳＰ）等の表示手段を通じて視覚的に各情報の追加、変更、削除（以下、単に「修正」という）が可能となり、レイアウト生成手段による処理の前段階でデータ加工が可能となるため、レイアウト生成手段からの出力データを参照して各情報の修正が必要になった場合でも、各データベースの個々の情報にアクセスする必要がなく、直前のセール情報分析用インターフェース手段に戻れば情報の修正が可能となる。
【００１８】
請求項６は、「情報処理装置を用いて、所定の複数の商品情報を視覚的な広告媒体上に配置して店舗毎の広告媒体を生成する広告媒体のレイアウトプログラムであって、
商品情報データベースから商品毎のターゲット属性を読み出すステップと、
店舗情報データベースから店舗毎の商圏におけるターゲット属性を読み出すステップと、
前記商品のターゲット属性と前記店舗のターゲット属性との近似度が高いときに、当該商品の当該店舗における広告媒体上の商品情報の占有面積比率を大きくするコンピュータ実行可能な広告媒体のレイアウトプログラム」である。
【００１９】
このようなプログラムは、情報処理装置のメモリ、ハードディスク装置等の記憶手段に格納しておき、オペレーティングシステムに基づいた中央処理装置（ＣＰＵ）の処理によって実行される。
【００２０】
請求項７は、「情報処理装置を用いて、所定の複数の商品情報を視覚的な広告媒体上に配置して店舗毎の広告媒体を生成する広告媒体のレイアウトプログラムを格納した記録媒体であって、
商品情報データベースから商品毎のターゲット属性を読み出すステップと、
店舗情報データベースから店舗毎の商圏におけるターゲット属性を読み出すステップと、
前記商品のターゲット属性と前記店舗のターゲット属性との近似度が高いときに、当該商品の当該店舗における広告媒体上の商品情報の占有面積比率を大きくするステップとからなるプログラムを記録したコンピュータ読取り可能な記録媒体」である。
【００２１】
記録媒体とは、電気的、磁気的、光学的に情報を記録可能な媒体を意味しており、電気的記録媒体としてはメモリ等があり、磁気的記録媒体としてはフレキシブルディスク、ハードディスク、磁気カード等が挙げられる。また、光学的記録媒体としては、光ディスク、ＣＤ、ＤＶＤ等が例示できる。
【発明の効果】
【００２２】
本発明によれば、商品のターゲット属性や店舗毎の商圏のターゲット属性を考慮した効率的な広告効果の期待できる広告媒体を生成できるという優れた効果を奏し得る。
【発明を実施するための最良の形態】
【００２３】
以下、本発明の実施の形態を添付図面を参照して説明する。
図２は、本実施形態のシステム構成を示すハードウエアブロック図である。
本実施形態のレイアウト装置は、同図に示すように情報処理装置を用いて実現したものであり、該レイアウト装置はネットワークを介してＤＴＰシステムに接続されている。ＤＴＰシステムは印刷装置（ＰＲＴ）を有しており、レイアウト装置で生成されたレイアウトに基づいた広告媒体が印刷して出力されるようになっている。
【００２４】
レイアウト装置は、中央処理装置（ＣＰＵ）を中心にバス（ＢＵＳ）を介してメインメモリ、入力装置としてのキーボード（ＫＢＤ）およびマウス、ディスプレイ装置（ＤＳＰ）、ハードディスク装置（ＨＤ）およびデータベース群（ＤＢ）が接続されている。
【００２５】
ハードディスク装置には、オペレーティングシステム（ＯＳ）とともにインターフェースプログラム、レイアウト生成プログラムが格納されており、本実施形態の各機能はこれらのプログラムをバス（ＢＵＳ）を介してメインメモリ（ＭＭ）に読み込んで中央処理装置（ＣＰＵ）が順次実行することにより実現されるようになっている。
【００２６】
データベース群（ＤＢ）には、セール基本情報データベース、セール実施情報データベース、セール実施店舗情報データベース、商品情報データベースおよび店舗情報データベースが構築されている。これらの各データベースの内容については、図４乃至図８に示す通りとなっている。
【００２７】
セール基本情報データベースには、図４に示すようにセール自体を識別するセールＩＤと、同種のセールを行う実施店のグループを表す実施店パターンと、部門テーマ等が登録されるようになっている。
【００２８】
セール実施情報データベースには、図５に示すように日程変更パターン、写真データのネガ番号、キャッチコピー等のテキスト情報、日毎のセール情報を示す日替わり情報、価格等が登録されるようになっている。
【００２９】
セール実施店舗情報データベースには、店舗毎に前記実施点のグループが登録されている。同図では便宜上、二重丸、塗りつぶし四角形、×がそれぞれ登録されるようになっている。
【００３０】
商品情報データベースには、リスト番号、ネガ番号、ターゲット年代、ターゲット男女別識別子、商品名等が登録されるようになっており、当該商品のターゲットが登録可能となっている。
【００３１】
店舗情報データベース（図８）には、店舗ＩＤと、店舗の住所・電話番号等の書誌事項、それに店舗毎のターゲット情報が登録されている。この店舗情報データベースは、基本店舗データ（図１０）と商圏データ（図１１）とから生成されるようになっている。基本店舗データは売場面積や売場規模等が登録されるようになっている。商圏データは当該店舗を中心に３ｋｍ圏内世帯数、５ｋｍ圏内世帯数、メインターゲット年代、メインターゲット性別等が登録されるようになっている。これらのターゲットに関する情報が店舗情報データベースに反映され、かつ商品情報データベースのターゲット情報と比較されて店舗毎の広告媒体上における当該商品の占有比率が算出されるようになっている。この点については後述する。
【００３２】
図３は、本実施形態の処理を示す機能ブロック図である。
セール情報分析用インターフェース部は、前述のハードディスク装置内のインターフェースプログラムを中央処理装置（ＣＰＵ）が読み込んで実行することによって実現される。
【００３３】
セール情報分析用インターフェース部は、各データベースから読み込んだ情報を図９に示すようにディスプレイ装置（ＤＳＰ）上の同一画面に表示するようになっている。
【００３４】
すなわち、図９に示す画面の最上部にはセール基本情報データベースから読み込んだセールＩＤと、実施店パターンと、部門テーマが表示されるようになっている。
【００３５】
画面の左側部には、セール実施情報データベースから読み込んだ日程変更パターンと、ネガ番号と、テキスト情報（ここでは、「婦人フォーマルウェア  今付いている価格から２割引  一例として  ショール衿ジャケットアンサンブル」）、日替わり情報、価格等が表示されるようになっている。
【００３６】
画面の右側部には、セール実施店舗情報データベースから読み込んだ店舗のグループ、ここでは二重丸、塗りつぶし四角形、×が視覚的に認識可能に表示されるようになっている。
【００３７】
画面の最下部には、商品情報データベースから読み込んだターゲット年齢情報、ターゲット男女別識別子等が登録されるようになっている。
【００３８】
セール情報分析インターフェース部を通じてディスプレイ装置（ＤＳＰ）上に表示されたこの画面を参照しながらオペレータは、各データベースに登録された項目を直接追加、削除、修正することができるようになっている。
【００３９】
図９で編集されたデータ（セール分析データ）はＣＳＶ等のファイル形式で出力することが可能となっている。このセール分析データに含まれた商品のターゲット年齢情報と、ターゲット男女識別子とが、レイアウト生成部において、店舗情報データベースから読み込んだターゲット情報と比較される。
【００４０】
レイアウト生成部はハードディスク装置に格納されたレイアウト生成プログラムが中央処理装置（ＣＰＵ）に読み込まれて順次実行されることによって実現される機能部である。
【００４１】
レイアウト生成部では、前述のようにセール分析データのターゲット年齢情報と、ターゲット男女識別子とを、店舗情報のターゲット情報と比較して、店舗におけるターゲットと一致する商品についてその商品の広告媒体上での占有面積をより大きく確保する処理を行う。
【００４２】
セール情報分析用インターフェース部での処理とその結果の差異を概念的に示したものが図１である。同一の商品群（写真Ａ〜Ｃ）についての広告媒体のレイアウトを生成する場合、セール情報分析用インターフェース部でのセール分析データによって各商品のレイアウト上での占有面積が異なる。
【００４３】
たとえば、店舗情報データベースにより、店舗ＩＤ＝００１の店舗は、ターゲットがファミリー層であり、商圏データより３０代の男性と女性と、１０代の子供とで構成される住人が多いことがわかっているため、図７における商品情報データベースにおける商品リスト１（ネガ番号＝００１）のターゲットが３０代の男性となっている商品情報について多くの占有面積を有するレイアウトを生成する。このようにして生成されたレイアウトを示したものが図１２である。
【００４４】
また同様に、店舗ＩＤ＝００２はターゲットが子供中心のファミリー層が中心となっているため、商品リスト３（ネガ番号＝００３）の子供用セータについて多くの占有面積を有するレイアウトを生成する。このようにして生成されたレイアウトを示した者が図１４である。
【００４５】
さらに、店舗ＩＤ＝００３はターゲットが独身女性が中心となっているため、商品リスト２（ネガ番号＝００２）の女性用セータについて多くの占有面積を有するレイアウトを生成する。このようにして生成されたレイアウトを示したものが図１３である。
【００４６】
なお、本発明の広告媒体生成システムは、上記した実施の形態に限定されるものではなく、本発明の要旨を逸脱しない範囲内において種々変更を加え得ることは勿論である。
【００４７】
たとえば、レイアウト生成部では、セール分析データと店舗情報データベースとからターゲット情報を読み込んでレイアウト生成を行う場合で説明したが、商品のターゲット情報については、セール分析データではなく、商品情報データベースからレイアウト生成部に直接読み込んで店舗情報データベースのターゲット情報と比較してもよい（図３参照）
。
【００４８】
また、実施形態ではターゲット情報として年代、男女識別子等を説明したが、これら以外の要素、たとえば当該店舗の属する商圏範囲における家庭の年収、勤務の業種等によって広告媒体の紙面レイアウトを変更させるようにしてもよい。
【００４９】
また、広告媒体としては折込広告等の紙媒体で説明したが、たとえば液晶ディスプレイ、プラズマディスプレイ等の表示装置における広告情報のレイアウトにも適用できる。
【産業上の利用可能性】
【００５０】
本発明の広告媒体生成システムは新聞の折込広告の紙面自動レイアウト技術又はディスプレイ装置における広告情報等のレイアウトに用いることができる。
【図面の簡単な説明】
【００５１】
【図１】実施形態のセール情報分析用インターフェース部の処理に基づく紙面レイアウトの作成例を示す図
【図２】実施形態のシステム構成を示すハードウエアブロック図
【図３】実施形態の処理を示す機能ブロック図
【図４】セール基本情報データベースの内容を示す説明図
【図５】セール実施情報データベースの内容を示す説明図
【図６】セール実施店舗情報データベースの内容を示す説明図
【図７】商品情報データベースの内容を示す説明図
【図８】店舗情報データベースの内容を示す説明図
【図９】セール情報分析用インターフェース部により生成される表示画面例
【図１０】基本店舗データの内容を示す説明図
【図１１】商圏データの内容を示す説明図
【図１２】本実施形態により生成された紙面レイアウト例（１）
【図１３】本実施形態により生成された紙面レイアウト例（２）
【図１４】本実施形態により生成された紙面レイアウト例（３）
【符号の説明】
【００５２】
ＣＰＵ  中央処理装置
ＭＭ  メインメモリ
ＤＳＰ  ディスプレイ装置（表示装置）
ＢＵＳ  バス
ＨＤ  ハードディスク装置
ＤＢ  データベース群
ＮＷ  ネットワーク
【図１】
2005309475.tif 000003
【図２】
2005309475.tif 000004
【図３】
2005309475.tif 000005
【図４】
2005309475.tif 000006
【図５】
2005309475.tif 000007
【図６】
2005309475.tif 000008
【図７】
2005309475.tif 000009
【図８】
2005309475.tif 000010
【図９】
2005309475.tif 000011
【図１０】
2005309475.tif 000012
【図１１】
2005309475.tif 000013
【図１２】
2005309475.tif 000014
【図１３】
2005309475.tif 000015
【図１４】
2005309475.tif 000016